(57)【特許請求の範囲】
【請求項１】
ケーブルを接続する端子板及び前記ケーブルを固定するクランパが取り付けられる端子台を備える空気調和機の室外機において、
前記端子台は、斜め上前方を向く下段斜面板を有し該下段斜面板に前記端子板のうちの下段端子板及び前記クランパのうちの下段クランパが取り付けられる下段端子台と、斜め上前方を向く上段斜面板を有し該上段斜面板に前記端子板のうちの上段端子板及び前記クランパのうちの上段クランパが取り付けられる上段端子台とを有し、
前記上段斜面板は、前記下段斜面板の上方に所定の距離を介して前記下段斜面板と平行に配置されるとともに、前記上段斜面板の下端部の前記下段斜面板への水平投影線が前記下段斜面板の前記下段端子板に重なるようにしたことを特徴とする空気調和機の室外機。
【請求項２】
請求項１に記載の空気調和機の室外機において、
前記上段斜面板は、少なくとも前記下段端子板の端子を前方正面に露出させるよう前記下段斜面板の前方に配置されていることを特徴とする空気調和機の室外機。
【請求項３】
請求項１又は２に記載の空気調和機の室外機において、
前記下段端子台は筐体に取り付けられ、前記上段端子台は前記下段端子台に取り付けられていることを特徴とする空気調和機の室外機。
【発明の詳細な説明】
【技術分野】
【０００１】
本発明は、ケーブルが接続される空気調和機の室外機にかかり、特にそのケーブルを接続する端子台を有する室外機に関する。
【背景技術】
【０００２】
室外機には、室内機と例えば通信を行うためのケーブルを接続する端子台が設けられている（例えば特許文献１参照）。そして、２台以上の室内機を備えたマルチ型の空気調和機においては、室外機は２台以上の室内機との間の通信用に２本以上のケーブルを接続する必要がある。このため、室外機には２本以上のケーブルを区別して接続するために、端子台に２個以上の端子板が取り付けられている。
【先行技術文献】
【特許文献】
【０００３】
【特許文献１】特開２００７−２７８５５９号公報
【発明の概要】
【発明が解決しようとする課題】
【０００４】
したがって、室内機の数が増えるとケーブルの本数が増え端子板の数も増えて、端子台が大きくなり、室外機における端子台の占有スペースが大きくなる問題がある。
【０００５】
本発明の目的は、ケーブルの本数が増えて端子板の数が増えても端子台に要求される占有スペースを小さくできるようにした空気調和機の室外機を提供することである。
【課題を解決するための手段】
【０００６】
上記目的を達成するために、請求項１にかかる発明は、ケーブルを接続する端子板及び前記ケーブルを固定するクランパが取り付けられる端子台を備える空気調和機の室外機において、前記端子台は、斜め上前方を向く下段斜面板を有し該下段斜面板に前記端子板のうちの下段端子板及び前記クランパのうちの下段クランパが取り付けられる下段端子台と、斜め上前方を向く上段斜面板を有し該上段斜面板に前記端子板のうちの上段端子板及び前記クランパのうちの上段クランパが取り付けられる上段端子台とを有し、前記上段斜面板は、前記下段斜面板の上方に所定の距離を介して前記下段斜面板と平行に配置されるとともに、前記上段斜面板の下端部の前記下段斜面板への水平投影線が前記下段斜面板の前記下段端子板に重なるようにしたことを特徴とする。
【０００７】
請求項２にかかる発明は、請求項１に記載の空気調和機の室外機において、前記上段斜面板は、少なくとも前記下段端子板の端子を前方正面に露出させるよう前記下段斜面板の前方に配置されていることを特徴とする。
【０００８】
請求項３にかかる発明は、請求項１又は２に記載の空気調和機の室外機において、前記下段端子台は筐体に取り付けられ、前記上段端子台は前記下段端子台に取り付けられていることを特徴とする。
【発明の効果】
【０００９】
本発明によれば、上段端子台の上段斜面板が、下段斜面板の上方に所定の距離を介して下段斜面板と平行に配置されるとともに、上段斜面板の下端部の下段斜面板への水平投影線が下段斜面板の下段端子板に重なるようにしたので、端子台全体の上下方向の大きさを小さくすることができ、端子台の占めるスペースを小さくすることができる。また、上段斜面板や下面斜面板を上方から視認し易くなり、ケーブル接続の作業性が向上する。
【図面の簡単な説明】
【００１０】
【図１】マルチ型の室外機の正面図である。
【図２】本発明の実施例の端子台の部分を示す斜視図である。
【図３】本発明の実施例の端子台の分解側面図である。
【図４】本発明の実施例の端子台の組立側面図である。
【発明を実施するための形態】
【００１１】
図１に１台の室外機に図示しない複数台の室内機が接続されるマルチ型の空気調和機における室外機１００の正面の外観を示す。室外機１００は、内部の空気を吹き出す吹出グリル１１０が設けられた前面パネル１２０の右側に、メンテナンス用の着脱自在のサービスパネル１３０が設けられ、このサービスパネル１３０の奥側の後記する端子板に、２台以上の室内機と通信を行うための２本以上の後記するケーブルが接続される。１４０は２台以上の室内機との間で接続される２組以上の配管セットの接続端部を覆う配管カバーである。
【００１２】
図２は図１におけるサービスパネル１３０を取り外して、その奥に上下方向に配置された端子台２００の部分を示す図、図３はその端子台２００の分解側面図、図４はその端子台２００の組立側面図である。この端子台２００は、斜め上の前方（サービスパネル１３０の方向）を向く下段斜面板２１１を有し筐体に取り付けられる板金製の下段端子台２１０と、同様に斜め上の前方を向く上段斜面板２２１を有しその下段端子台２１０の前方に位置するように取り付けられる板金製の上段端子台２２０とで構成されている。
【００１３】
下段端子台２１０は、上記した下段斜面板２１１と、下段斜面板２１１の左端を前方に折り曲げて形成した下段左側面取付板２１２と、下段斜面板２１１の右端下側を後方に折り曲げて形成した下段右側面板２１３と、下段右側面板２１３の奥端を右横方向に折り曲げて板面２１４ａが下段右側面板２１３と垂直になるように形成した下段右下取付板２１４と、下段斜面板２１１の右端上側を板面２１５ａが下段右下取付板２１４の板面２１４ａと同一面で並ぶように折り曲げて形成した下段右上取付板２１５とを備える。
【００１４】
上段端子台２２０は、上記した上段斜面板２２１と、上段斜面板２２１の右端を後方に折り曲げて形成した上段右側面板２２２と、上段右側面板２２２の奥端を右横方向に折り曲げて板面２２３ａが上段右側面板２２２と垂直なるよう形成した上段右取付板２２３と、上段斜面板２２１の左端を後方に折り曲て形成した上段左側面板２２４と、上段左側面板２２４の奥端を左横方向に折り曲げて板面２２５ａが下段斜面板２１１に平行になるように形成した上段左取付板２２５とを備える。
【００１５】
さて、端子台２００の組み立ては、まず、電装品箱６００の下方において、段端子台２１０を室外機１００の図示しない筐体に取り付ける。すなわち、下段端子台２１０の下段斜面板２１１をビスＢ１，Ｂ２で図示しない筐体に取り付け、下段右下取付板２１４と下段右上取付板２１５を図示しないビスで筐体に取り付ける。複数個の下段端子板３００Ａは、横方向に並べて、下段斜面板２１１に予め取り付けておき、あるいは下段端子台２１０を筐体に固定した後に下段斜面板２１１に取り付ける。そして、このとき、あるいは事後的に下段端子板３００Ａと電装品箱６００との間を図示しない配線で接続する。
【００１６】
次に、上段端子台２２０を下段端子台２１０に取り付ける。すなわち、上段端子台２２０の上段斜面板２２１の右側において、上段右取付板２２３をビスＢ３によって下段右上取付板２１５に取り付ける。また、上段斜面板２１１の左側において、上段左取付板２２５を下段斜面板２１１にビスＢ４によって取り付ける。複数個の上段端子板３００Ｂは、横方向に並べて、上段斜面板２２１に予め取り付けておき、あるいは上段端子台２２０を下段端子台２１０に固定した後に上段斜面板２２１に取り付ける。そして、このとき、あるいは事後的に上段端子板３００Ｂと電装品箱６００との間を図示しない配線で接続する。
【００１７】
以上のようにして、下段端子台２１０に対して上段端子台２２０を取り付けると、上段端子台２２０の上段斜面板２２１が、下段斜面板２１１の上方に所定の距離Ｄを介して下段斜面板２１１と平行に配置されるとともに、上段斜面板２２１の下端部２２１ａの下段斜面板２１１への水平投影線Ａが、下段斜面板２１１に取り付けた下段端子板３００Ａに重なり、その端子３０１Ａよりも上方に位置する。これにより、その端子３０１Ａは前方に対して露出する。
【００１８】
次に、下段端子板３００Ａの端子３０１Ａにケーブル４００Ａの外皮４０１Ａを除去して露出させた信号線４０２Ａを接続し、そのケーブル４００Ａの外被４０１Ａを下段クランパ５００Ａによって、下段斜面板２１１に固定する。
【００１９】
次に、上段端子板３００Ｂの端子３０１Ｂにケーブル４００Ｂの外皮４０１Ｂを除去して露出させた信号線４０２Ｂを接続し、そのケーブル４００Ｂの外被４０１Ｂを上段クランパ５００Ｂによって、上段斜面板２２１に固定する。
【００２０】
以上によって、ケーブル４００Ａは下段端子台２１０の下段端子板３００Ａに接続されて下段クランパ５００Ａによって固定され、ケーブル４００Ｂは上段端子台２２０の上段端子板３００Ｂに接続されて上段クランパ５００Ｂによって固定される。
【００２１】
この状態において、下段端子台２１０に取り付けられた下段端子板３００Ａは、前方上側からみたとき、上段端子台２２０によって端子３０１Ａ以外の部分が隠れた状態なるが、下段端子板３００Ａと上段端子板３００Ｂや下段クランパ５００Ａと上段クランパ５００Ｂを１枚の端子台に上下方向に並べて配置した場合と比べて、端子台２００の上下方向の長さを短くすることができる。このように、本実施例の端子台２００は、上下方向のサイズを小型化できる。
【００２２】
また、ケーブル４００Ａ，４００Ｂは、通常では、室外機１００の裏側の下部から室内機の方向に引き出す関係から、端子台２００は室内機１００のサービスパネル１３の奥側の下部分に取り付けられるが、本実施例では、下段端子板３００Ａの端子３０１Ａが下段端子台２１０の下段斜面板２１１に上向きで取り付けられ、上段端子板３００Ｂの端子３９１Ｂが上段端子台２２０の上段斜面板２２１に上向きで取り付けられるので、それら端子３０１Ａ，３０１Ｂの目視確認が容易となり、ケーブル４００Ａ，４００Ｂの信号線４０２Ａ，４０２Ｂの接続作業が容易となる。なお、このケーブル４００Ａ，４００Ｂとしては、通信用に限られず、電源用などであってもよい。
【符号の説明】
【００２３】
１００：マルチ型の室外機、１１０：吹出グリル、１２０：前面パネル、１３０：サービスパネル、１４０：配管カバー
２００：端子台
２１０：下段端子台、２１１：下段斜面板、２１１ａ：下端部、２１２：下段左側面取付板、２１３：下段右側面板、２１４：下段右下取付板、２１５：下段右上取付板
２２０：上段端子台、２２１：上段斜面板、２２２：上段右側面板、２２３：上段右取付板、２２４：上段左側面板、２２５：上段左取付板
３００Ａ：下段端子板、３００Ｂ：上段端子板、３０１Ａ，３０１Ｂ：端子
４００Ａ，４００Ｂ：ケーブル、４０１Ａ，４０１Ｂ：外被、４０２Ａ，４０２Ｂ：信号線
５００Ａ：下段クランパ、５００Ｂ：上段クランパ
６００：電装品箱
Ｂ１〜Ｂ４：ビス
Ａ：水平投影線
【図１】
0006481863.tif 000002
【図２】
0006481863.tif 000003
【図３】
0006481863.tif 000004
【図４】
0006481863.tif 000005